(57)【要約】【課題】光ファイバコネクタの抜き差しを繰り返しても正確に位置決めすることができ、かつカップリングの効果を高める光信号の送受信モジュールを提供する。【解決手段】中空の本体と、光信号送受信素子を内部に設ける中空のべースと、該本体に嵌着される同心円の筒体であって、両端面を開口面とし、かつ外周壁には軸方向に沿って一方の開口面から他方の開口面に至る弾性溝を形成してなるスリーブと、該本体と同心円の筒体であって、該スリーブの一端に嵌着する固定座とによって構成する。【選択図】図３
0003099244.tif 000002
【実用新案登録請求の範囲】
【請求項１】
中空の本体と、
光信号送受信素子を内部に設ける中空のべ一スと、
該本体に嵌着される同心円の筒体であって、両端面を開口面とし、
かつ外周壁には軸方向に沿って一方の開口面から他方の開口面に至る弾性溝を形成してなるスリーブと、該本体と同心円の筒体であって、該スリーブの一端に嵌着する固定座とによってなることを特徴とする光信号の送受信モジュール。
【請求項２】
前記固定座の外径が、該スリーブの内径より大きいことを特徴とする請求項１に記載の光信号の送受信モジュール。
【請求項３】
前記本体と、べ一スと、スリーブと、固定座とを一体に連結して構成することを特徴とする請求項１に記載の光信号の送受信モジュール。
【請求項４】
前記スリーブの一端の切り欠いて少なくとも１以上の耳部を形成するとともに、該固定座の一端に鍔部を一体に形成し、かつ該鍔部に該スリーブの耳部に対応する位置決め溝を形成することを特徴とする請求項１に記載の光信号の送受信モジュール。
【考案の詳細な説明】
【０００１】
【考案の属する技術分野】
この考案は光信号の送受信モジュールに関し、特に光ファイバのコネクタの接続に供する光信号の送受信モジュールに関する。
【０００２】
【従来の技術】
光ファイバを利用した通信システムにおいて、すでにレーザダイオードを光源とする素子が実用化され、広く応用されている。レーザダイオード自体は、パッケージの工程を経てレーザダイオード素子として利用される。図１に開示するように、従来の光信号送受信モジュールにおいてレーザダイオード素子（１）は金属製で円筒状のべ一ス（２）内に設けられ、粘着剤（３）によって固定される。
【０００３】
また、図１に開示する光信号送受信モジュールは、金属製のべ一ス（２）上に中空のスリーブ（４）を嵌着する。該スリーブ（４）は内壁に段差を二ヶ所形成し、スリーブ（４）のべ一ス（２）側の開口から第１の段差に至る空間に当止リング（５）を嵌挿し、第１の段差から第２の段差に至る空間に当接管（６）を嵌挿する。当止リング（５）は内壁に設差を形成し、内径の広い部分の壁面の厚さと、当接管（６）の壁面の厚さの和が、内径の狭い部分の壁面の厚さに等しくなるようにする。当接管（６）はセラミック材によってなり、スリーブ（４）と同心円の管体であって、一端がスリーブ（４）の第２の段差に当止し、他端が当止リング（５）の内径の広い部分に嵌着する。
【０００４】
当止リング（５）と当接管（６）とによって形成される空間には、カッブリングブロック（７）を嵌着する。カップリングブロック（７）はセラミック材によってなり、スリーブ（４）と同心円の円柱状に形成され、嵌着した状態において外周面が当止リング（５）と当接管（６）の内壁に当接する。また、円の中心を軸方向に貫通するように光ファイバのコア（９）を設ける。よって、レーザダイオード素子（１）から照射される光線は、コア（９）にフォーカスされ、カップリングされる。さらに、カップリングブロック（７）のレーザダイオード素子（１）に対応する端面には、研磨によって傾斜面（８）を形成し、端面を反射する光線が直接レーザダイオードに反射して発生するノイズ干渉を防ぐようにする。
【０００５】
スリーブ（４）のレーザダイオード素子（１）に対向する一端には光ファイバコネクタ（図示しない）を挿入し、コア（９）内を光信号のビームが直進して通過し、光ファイバコネクタに接続した光ファイバのコア（９）に伝送される。
【０００６】
以上の構造によって光信号発信モジュールが構成される。前記レーザダイオード素子（１）を受光素子に交換すると、光信号受信モジュールになる。
【０００７】
上述する従来の光信号送受信モジュールは、カップリングの効果を高めることを目的としているが、但し、レーザダイオードから照射される光線をコア（９）にカップリングさせる場合、かなりの距離を経て、光ファイバのコア（９）にフォーカスされる。即ち、従来の構造におけるカップリングブロック（７）は、レーザダイオードとコネクタに接続した光ファイバとをカップリングさせる部材としては体積が大きすぎ、光エネルギーの損失を招く。よって、実際に使用する場合にはかなりの不便が発生する。
【０００８】
また、レーザダイオードが発光する位置と、光ファイバのコア（９）の端面との距離が長すぎるため、焦点が合わせにくくなる。
【０００９】
更に、カップリングブロック（７）は、セラミック材によってなるため、製造コストが高くなる。同様にセラミック材によってなる当接管（６）は、他の部材と連結することができない。このため、光ファイバコネクタを抜き挿しすると、当接管（６）が緩んで摺動することがある。このため、光ファイバコネクタの抜き差しを繰り返すことによって特性が変化することがある。
【００１０】
【考案が解決しようとする課題】
この考案は、光ファイバコネクタの抜き差しを繰り返しても正確に位置決めすることのできる光信号の送受信モジュールを提供することを課題とする。
【００１１】
また、この考案は、従来のカップリングブロックの体積を縮小し、カップリングの効果を高めるとともに、製造コストを節減することのできる光信号の送受信モジュールを提供することを課題とする。
【００１２】
【課題を解決するための手段】
そこで、本考案者は従来の技術に見られる欠点に鑑み鋭意研究を重ねた結果、中空の本体と、光信号送受信素子を内部に設ける中空のべ一スと、該本体に嵌着される同心円の筒体であって、両端面を開口面とし、かつ外周壁には軸方向に沿って一方の開口面から他方の開口面に至る弾性溝を形成してなるスリーブと、該本体と同心円の筒体であって、該スリーブの一端に嵌着する固定座とによってなる光信号送受信モジュールの構造によって課題を解決できる点に着眼し、かかる知見に基づいて本考案を完成させた。
【００１３】
即ち、該スリーブに形成した弾性溝によって発生する付勢力の作用で該固定座が緊密に圧接するとともに、該スリーブに挿入する光ファイバコネクタに対してスリーブの内壁が緊密に圧接する構成によってこの考案の課題を解決する光信号送受信モジュールが得られる。
【００１４】
以下、この考案について具体的に説明する。
請求項１に記載する光信号の送受信モジュールは、中空の本体と、光信号送受信素子を内部に設ける中空のべ一スと、該本体に嵌着される同心円の筒体であって、両端面を開口面とし、かつ外周壁には軸方向に沿って一方の開口面から他方の開口面に至る弾性溝を形成してなるスリーブと、
該本体と同心円の筒体であって、該スリーブの一端に嵌着する固定座とによってなる。
【００１５】
請求項２に記載する固定座は、外径を請求項１におけるスリーブの内径より大きくする。
【００１６】
請求項３に記載する光信号の送受信モジュールは、請求項１における本体と、べ一スと、スリーブと、固定座とを一体に連結して構成する。
【００１７】
請求項４に記載する光信号の送受信モジュールは、請求項１におけるスリーブの一端の切り欠いて少なくとも１以上の耳部を形成するとともに、該固定座の一端に鍔部を一体に形成し、かつ該鍔部に該スリーブの耳部に対応する位置決め溝を形成する。
【００１８】
【考案の実施の形態】
この考案は、光ファイバーコネクタの挿入に供する光信号送受信モジュールを提供するものであって、中空の本体と、光信号送受信素子を内部に設ける中空のべ一スと、該本体に嵌着される同心円の筒体であって、両端面を開口面とし、かつ外周壁には軸方向に沿って一方の開口面から他方の開口面に至る弾性溝を形成してなるスリーブと、該本体と同心円の筒体であって、該スリーブの一端に嵌着する固定座とによって構成する。
かかる光信号送受信モジュールの構造と特徴を詳述するために、具体的な実施例を挙げ、図示を参照にして以下に説明する。
【００１９】
【実施例】
この考案による光信号の送受信モジュールは図２，３，４に開示するように、中空の本体（２０）と、中空のべ一ス（３０）と、本体（２０）と同心円の固定座（４０）とによってなり、本体（２０）と同心円のスリーブ（２１）を本体（２０）内に挿設して光ファイバーのコネクタの挿入に供する。また、スリーブ（２１）は光信号送受信素子（３１）（例えば、レーザダイオード、受光素子など）側の開口面（２３）と、これに対向する開口面（２２）とを具え、外周面には軸方向に沿って該開口面（２３）から開口面（２２）に至る弾性溝（２４）を形成する。開口面（２３）には少なくとも１以上の突起状の耳部を形成する。実施例においては、円周を４等分する位置を切り欠いて、突起状の耳部（２５）を等間隔で形成する。
【００２０】
スリーブ（２１）の開口面（２３）には固定座（４０）を嵌着する。
固定座（４０）は、貫通孔（４４）を形成した中空の管体（４２）の一端に鍔部（４１）を一体に形成してなる。鍔部（４１）には、スリーブ（２１）に形成した耳部（２５）に対応する切り欠き状の位置決め溝（４３）を形成する。よって、固定座（４０）をスリーブ（２１）に嵌着した場合、スリーブ（２１）の耳部（２５）が固定座（４０）の鍔部（４１）の位置決め溝（４３）に嵌着し、後続の加工の作業（例えば、溶着、スポット接着など）の便宜を図ることができる。
【００２１】
固定座（４０）の管体（４２）は外径をスリーブ（２１）の内径（Ｄ）より大きくする。このため固定座（４０）の管体（４２）をスリーブ（２１）に嵌着すると、スリーブ（２１）の弾性溝（２４）の付勢力の作用で管体（４２）とスリーブ（２１）の内壁が緊密に接触する。スリーブ（２１）の開口面（２２）は、図４に開示するように、光ファイバコネクタ（図示しない）の挿入に供する。また、スリーブ（２１）は、弾性溝（２４）の作用によって、挿入する光ファイバコネクタに内壁が圧接し、緊密に挟持する。このため、光ファイバコネクタがスリーブ（２１）内で緩むことを防ぎ、正確な位置決めを達成し、フォーカスの誤差を現象させることができる。
【００２２】
本体（２０）と、スリーブ（２１）と、固定座（４０）とは、後続の加工の作業（例えば溶着、スポット接着などにおいてそれぞれを接続し、一体に連結する。このため、部材間の緩みが達成することなく、安定した精度が得られる。
【００２３】
べース（３０）内には、光信号送受信素子（３１）（例えばレーザダイオード、受光素子など）を設ける。光信号送信素子について言えば、レーザダイオードなどの発光体から照射される光線は、固定座（４０）の管体（４２）に形成された貫通孔（４４）を通過し、光ファイバコネクタに接続された光ファイバのコアにフォーカスし、カップリングする。
【００２４】
図５に開示するように、この考案による光信号送受信モジュール（１０）は、例えぱ、プラスチック材などによるハウジング（５０）内に設けて、光信号コネクタの接続に供する。
【００２５】
上述の構成による光信号送受信モジュールは、従来の光信号送受信モジュールにおけるカッブリングブロックに当たる部分の体積を縮小することによって、製造コストを節減するとともに、光ファイバと光信号送受信素子との間のカップリング効率を高めることができる。
【００２６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【００２７】
【考案の効果】
この考案による光信号送受信モジュールは、光ファイバと光信号送受信素子との間のカップリング効率を高めることができるとともに、光ファイバコネクタの抜き差しを繰り返しても正確に位置決めすることができ、位置ずれによるフォーカスの誤差の発生を抑制する効果を有する。
【００２８】
また、この考案による光信号の送受信モジュールは、従来のモジュールに比して部材の点数が減少し、従来のセラミック材による部材を使用しないので、生産性が高まるとともに、製造コストを大幅に節減することができる。
【図面の簡単な説明】
【図１】従来の光信号送受信モジュールの断面図である。
【図２】この考案による光信号送受信モジュールの断面図である。
【図３】図２に開示する光信号送受信モジュールの分解図である。
【図４】図２に開示する光信号送受信モジュールの内部構造を表わす一部切り欠き斜視図である。
【図５】この考案による光信号送受信モジュールの使用態様を表わす説明図である。
【符号の説明】
１　レーザダイオード素子
２　ベース
３　粘着剤
４　スリーブ
５　当止リング
６　当接管
７　カップリングブロック
８　傾斜面
９　コア
１０　光信号送受信モジュール
２０　本体
２１　スリーブ
２２　開口面
２３　開口面
２４　弾性溝
２５　耳部
３０　ベース
３１　光信号送受信素子
４０　固定座
４１　鍔部
４２　管体
４３　位置決め溝
４４　貫通孔
５０　ハウジング
Ｄ　内径
【図１】
0003099244.tif 000003
【図２】
0003099244.tif 000004
【図３】
0003099244.tif 000005
【図４】
0003099244.tif 000006
【図５】
0003099244.tif 000007